(57)【要約】接続先セルから他のへのハンドオーバ起動を判定する端末（１００）において、RSRQ/RSRP測定部（１０７）は、他のセルから送信されるセル固有参照信号を用いた第１の受信品質値、又は、他のセルから送信されるセル検出用参照信号を用いた第２の受信品質値を測定し、オフセット加算部（１０８）は、第２の受信品質値に対してオフセット値を加算して、第３の受信品質値を算出し、判定部（１０９）は、第１の受信品質値又は第３の受信品質値が、セル固有参照信号を基準とするハンドオーバ起動の条件を満たすか否かを判定する。
2015115037.tif 000002
【特許請求の範囲】
【請求項１】
接続先セルから他のセルへのハンドオーバ起動を判定する端末であって、
前記他のセルから送信されるセル固有参照信号を用いた第１の受信品質値、又は、前記他のセルから送信されるセル検出用参照信号を用いた第２の受信品質値を測定する測定部と、
前記第２の受信品質値に対してオフセット値を加算して、第３の受信品質値を算出する加算部と、
前記他のセルの前記第１の受信品質値又は前記第３の受信品質値が、前記セル固有参照信号を基準とするハンドオーバ起動の条件を満たすか否かを判定する判定部と、
を具備する端末。
【請求項２】
前記判定部は、前記第１の受信品質値又は前記第３の受信品質値が、前記セル固有参照信号を用いて測定された前記接続先セルの受信品質値よりも大きい場合、前記条件を満たすと判定する、
請求項１に記載の端末。
【請求項３】
前記判定部は、前記第１の受信品質値又は前記第３の受信品質値が、前記セル固有参照信号を基準とする閾値よりも大きい場合、前記条件を満たすと判定する、
請求項１に記載の端末。
【請求項４】
前記端末が、複数のマクロセルから構成される第１グループと、複数のスモールセルから構成される第２グループとに接続するDual Connectivityにおいて、前記接続先セルは、前記第２グループのうち、制御機能を有する特定のセルであって、
前記判定部は、前記第１の受信品質値又は前記第３の受信品質値が、前記セル固有参照信号を用いて測定された前記特定のセルの受信品質値よりも大きい場合、前記条件を満たすと判定する、
請求項１に記載の端末。
【請求項５】
接続先セルから他のセルへのハンドオーバ起動を判定するハンドオーバ判定方法であって、
前記他のセルから送信されるセル固有参照信号を用いた第１の受信品質値、又は、前記他のセルから送信されるセル検出用参照信号を用いた第２の受信品質値を測定し、
前記第２の受信品質値に対してオフセット値を加算して、第３の受信品質値を算出し、
前記他のセルの前記第１の受信品質値又は前記第３の受信品質値が、前記セル固有参照信号を基準とするハンドオーバ起動の条件を満たすか否かを判定する、
ハンドオーバ判定方法。
【発明の詳細な説明】
【技術分野】
【０００１】
本開示は、端末及びハンドオーバ判定方法に関する。
【背景技術】
【０００２】
［メジャーメントイベント（measurement events）］
3GPP-LTE（3rd Generation Partnership Project Radio Access Network Long Term Evolution）の拡張システムであるLTE-Advancedでは、端末（User Equiqment（UE）と呼ばれることもある）は、下記の動作を行う。すなわち、端末は、接続する基地局（セル又はeNBと呼ばれることもある）を切り替える（ハンドオーバ）際、ハンドオーバ候補先の基地局が送信するセル固有参照信号（Cell-specific Reference Signals: CRS）の受信品質（Reference Signal Received Quality:RSRQ）又は受信電力（Reference Signal Received Power: RSRP）の測定を行う。【０００３】
そして、端末は、以下のような閾値イベント、比較イベントを含むメジャーメントイベントの成否を判定する。例えば、端末は、ハンドオーバ候補先の基地局のRSRQ/RSRPが閾値を越える場合（閾値イベント)を判定する。又は、ハンドオーバ候補先の基地局のRSRQ/RSRPが、端末が接続中のセル（つまり、接続先の基地局。Serving Cellと呼ぶこともある）のRSRQ/RSRPに対してオフセット値を加算して得られる値を越える場合（比較イベント）判定する。端末は、メジャーメントイベントが成立した場合、当該メジャーメントイベントの成立（ハンドオーバのトリガ）を接続先の基地局へ報告する。基地局は、メジャーメントイベント成立の報告を受信すると、端末に対するハンドオーバの起動を行う（例えば、非特許文献１を参照）。【０００４】
メジャーメントイベントの種別、メジャーメントイベントにおいて使用する閾値、オフセット値等のパラメータ、及び、メジャーメントイベントに使用する測定値（RSRP又はRSRQ）は、基地局から端末に対して個別に設定される。【０００５】
［スモールセル向けセル検出用参照信号］
また、LTE-Advancedでは、送信電力の比較的高い基地局であるマクロセルのカバーエリア内に、送信電力の比較的低い基地局であるスモールセルを配置し、増大するトラフィックを収容することが検討されている。【０００６】
スモールセルの導入に際して、スモールセルから与える干渉の抑制及びスモールセルの消費電力削減のため、スモールセルのOn状態とOff状態との切替制御（以下、On/Off制御と呼ぶ）を導入することが検討されている。スモールセルのOff状態では、スモールセルは、端末に対してデータを割り当てない「休止状態」となる。ただし、スモールセルからの全ての信号の送信を止めると、端末がスモールセルを検出できなくなる。そこで、Off stateでも端末がスモールセルを検出できるように、スモールセルがセル検出用参照信号（discovery signal）を送信することが検討されている。【０００７】
ハンドオーバ制御において、discovery signalの用途は、CRSと同様、RSRQ/RSRPの測定を行うことである。ただし、消費電力を抑えるため、discovery signalでは、CRSと比較して送信頻度を少なくすること（送信周期を長くすること）が検討されている。また、discovery signalのデザインとして、LTE-Advancedシステムに既に存在する信号の周期、帯域等を変更して使用することが考えられている。discovery signalに使用される信号の候補として、PRS（Positioning Reference Signal）、CSI-RS（Channel-State Information Reference Signal）等が挙げられている（例えば、非特許文献２、３を参照）。【０００８】
Off状態のセルは消費電力を抑えるためにdiscovery signalのみを送信し、他の信号を送信しないため、discovery signalによるRSRQ/RSRP測定に対応した端末（例えば、LTEの標準規格Rel.12をサポートする端末）のみがOff状態のセルを検出できる。一方、On状態のセルはdiscovery signal及びCRSを送信するため、discovery signalによるRSRQ/RSRP測定に対応していない端末（例えば、LTEのRel.11以前の標準規格をサポートする端末）でもOn状態のセルを検出できる。
【先行技術文献】
【非特許文献】
【０００９】
【非特許文献１】3GPP TS36.331v11.6(2013-09), “Evolved Universal Terrestrial Radio Access (E-UTRA); Radio Resource Control Protocol (Release 11)”, September 2013
【非特許文献２】3GPP TS36.211v11.4.0(2013-09), “Evolved Universal Terrestrial Radio Access (E-UTRA); Physical channels and modulation (Release 11)”, September 2013
【非特許文献３】3GPP TSG RAN WG1 meeting, R1-133457, NTT DOCOMO, “Small Cell Discovery for Efficient Small Cell On/Off Operation”, August 2013
【非特許文献４】3GPP TR 36.842 V1.0.0 (2013-11) Study on Small Cell Enhancements for E-UTRA and E-UTRAN Higher layer aspect
【非特許文献５】3GPP TSG RAN WG2 meeting, R2-134188, On the need of PCell functionality in SeNB
【発明の概要】
【００１０】
しかし、discovery signalが導入されることにより、端末がRSRQ/RSRPを再測定する必要が生じたり、新たな閾値の設定が必要になったりする等のため、従来の技術では、ハンドオーバ制御の遅延が生じる。
【００１１】
そこで、本開示の一態様は、discovery signalが導入された場合でも、既存のメジャーメントイベントを用いて、遅延させることなくハンドオーバ制御を行うことができる端末及びハンドオーバ判定方法を提供する。
【００１２】
本開示の一態様の端末は、接続先セルから他のセルへのハンドオーバ起動を判定する端末であって、他のセルから送信されるセル固有参照信号を用いた第１の受信品質値、又は、他のセルから送信されるセル検出用参照信号を用いた第２の受信品質値を測定する測定部と、第２の受信品質値に対してオフセット値を加算して、第３の受信品質値を算出する加算部と、他のセルの第１の受信品質値又は第３の受信品質値が、前ル固有参照信号を基準とするハンドオーバ起動の条件を満たすか否かを判定する判定部と、を具備する構成を採る。なお、これらの包括的または具体的な側面は、システム、方法、および、コンピュータプログラムで実現されてもよく、システム、装置、方法、およびコンピュータプログラムの任意な組み合わせで実現されてもよい。
【００１３】
本開示によれば、discovery signalが導入された場合でも、既存のメジャーメントイベントを用いて、遅延させることなくハンドオーバ制御を行うことができる。
【図面の簡単な説明】
【００１４】
【図１】CRSを送信する基地局とdiscovery signalを送信する基地局とが混在する様子を示す図
【図２】本開示の実施の形態１に係る端末の要部構成を示すブロック図
【図３】本開示の実施の形態１に係る端末の構成を示すブロック図
【図４】本開示の実施の形態１に係る基地局の構成を示すブロック図
【図５】Dual Connectivityの構成例を示す図
【図６】本開示の実施の形態２に係る端末の構成を示すブロック図
【図７】本開示の実施の形態２に係る基地局の構成を示すブロック図
【発明を実施するための形態】
【００１５】
（本開示の基礎となった知見）
メジャーメントイベントの１つである比較イベントにおいて、端末がRSRQ/RSRPを再測定する必要が発生する場合、又は、端末による比較イベントの判定自体ができなくなる場合がある。以下、上記２つの場合について具体的に説明する。
【００１６】
discovery signalを送信するためのリソースとして、既存の信号（PRS又はCSI-RS等）を送信するためのリソースが用いられる。すなわち、従来からRSRQ/RSRPの測定に用いられているCRSを送信するためのリソースは、Off状態のセル検出用のRSRQ/RSRPの測定に用いられるdiscovery signalを送信するためのリソースとは異なる。よって、比較イベントにおいて、接続先セルから送信されたCRSを用いて測定されたRSRQ/RSRPと、周辺セルから送信されたdiscovery signalを用いて測定されたRSRQ/RSRPとを比較することはできない。よって、端末は、接続先セルのRSRQ/RSRPとして、discovery signalを用いてRSRQ/RSRPを再測定する必要がある。
【００１７】
例えば、図１は、CRSを送信するセル（On状態のセル又はOn/Off制御を用いないセル）と、discovery signalを送信するセル（Off状態のセル）とが混在しているエリアに端末が位置する様子を示す。図１において、端末は、比較イベント用にCRSのRSRQ/RSRPを測定している状態でOff状態のセルを検出した場合、CRSを用いたRSRQ/RSRPの測定が行われたセルに対して、discovery signalを用いてRSRQ/RSRP測定を再度行う必要が生じる。
【００１８】
このような端末でのRSRQ/RSRPの再測定によって、メジャーメントイベント判定の遅れが生じ、結果としてハンドオーバ起動の遅延が生じてしまう。
【００１９】
また、On/Off制御を用いない基地局（discovery signalを送信しない基地局）に在圏（接続）中の端末は、接続中の基地局についてはCRSを用いたRSRQ/RSRPしか得られないので、Off状態のセルから送信されるdiscovery signalを検出したとしても、discovery signalを用いたRSRQ/RSRPによる比較イベント判定は不可能となる。よって、基地局は、当該端末に対してハンドオーバを起動することが不可能となる。
【００２０】
さらに、メジャーメントイベント判定の１つである閾値イベント判定において、新たな閾値の設定が必要となる場合がある。具体的には、既存の閾値イベントでは、CRSを用いて測定されたRSRQ/RSRPに対応する閾値（CRSを基準とする閾値）が設定されている。これに対して、Off状態のセルに対する閾値イベント判定には、discovery signalを用いて測定されたRSRQ/RSRPが用いられる。よって、前述したようにCRSとdiscovery signalとの差異に起因して、discovery signalを用いて測定されたRSRQ/RSRPに対する閾値として、既存の閾値（CRSを基準とする閾値）を用いることはできず、discovery signal用に異なる値の新たな閾値が設定される必要が生じる。
【００２１】
出願人らは、上記の知見にもとづき鋭意研究した結果、端末において下記のように構成すれば、discovery signalが導入された場合でも、既存のメジャーメントイベントを用いて、遅延させることなくハンドオーバ制御を行うことができることを見出した。すなわち、端末は、接続先セル以外の他のセルから送信されるセル固有参照信号（CRS）を用いた第１の受信品質値を測定し、又は、上記他のセルから送信されるセル検出用参照信号（Discovery Signal）を用いた第２の受信品質値を測定し、第２の受信品質値に対してオフセット値を加算して、第３の受信品質値を算出し、他のセルの第１の受信品質値又は第３の受信品質値が、上記セル固有参照信号を基準とするハンドオーバ起動の条件を満たすか否かを判定する。
【００２２】
以下、本開示の実施の形態について図面を参照して詳細に説明する。なお、実施の形態において、同一の構成要素には同一の符号を付し、その説明は重複するので省略する。
【００２３】
（実施の形態１）
［通信システムの概要］
本実施の形態に係る通信システムは、端末１００と基地局２００とを有する。この通信システムは、例えば、LTE-Advancedシステムである。そして、端末１００は、例えば、LTE-Advancedシステムに対応する端末であり、基地局２００は、例えば、LTE-Advancedシステムに対応する基地局である。
【００２４】
また、本実施の形態では、On/Off制御が導入される。すなわち、端末１００は、On状態のセル（図１では、接続中セル及び周辺セル１）又はOn/Off制御を行わないセル（図示せず）から、少なくともCRSを受信可能である。さらに端末１００は、Off状態のセル（図１では周辺セル２）からdiscovery signalを受信可能である。また、基地局２００は、例えば、端末１００の接続中セルであり、端末１００に対してレイヤ３制御を行う。レイヤ３制御とは、基地局２００と端末１００の無線接続を制御することであり、例えば端末１００に対してメジャーメントイベントの種別とその閾値を設定し、イベント成立の報告をトリガとして端末１００に対してハンドオーバを起動することである。
【００２５】
また、端末１００は、接続中セルから他のセルへのハンドオーバの可否を判定する。ここで、「他のセル」は、上述したOn/Off制御を行うセルであればよい。例えば、「他のセル」は端末１００の周辺に位置するスモールセルである。
【００２６】
図２は、本実施の形態に係る端末１００の要部構成を示すブロック図である。
【００２７】
端末１００は、接続先セルから他のセルへのハンドオーバの可否を判定する。端末１００において、RSRQ/RSRP測定部１０７は、他のセルから送信されるセル固有参照信号（CRS）を用いた第１の受信品質値（RSRQ/RSRP）、又は、他のセルから送信されるセル検出用参照信号（discovery signal）を用いた第２の受信品質値（RSRQ/RSRP）を測定する。オフセット加算部１０８は、discovery signalを用いて測定された第２の受信品質値（RSRQ/RSRP）に対してオフセット値を加算して、第３の受信品質値（CRSを用いて測定されるRSRQ/RSRPに相当する値）を出する。判定部１０９は、上記第１の受信品質値又は上記第３の受信品質値が、CRSを基準とするハンドオーバ起動の条件（メジャーメントイベント）を満たすか否かを判定する。
【００２８】
［端末１００の構成］
図３は、本実施の形態に係る端末１００の構成を示すブロック図である。図３において、端末１００は、受信アンテナ１０１−１、送信アンテナ１０１−２、受信処理部１０２、メディアアクセス制御部１０３、無線リンク制御部１０４、レイヤ３メッセージ受信部１０５、RSRQ/RSRP選択部１０６、RSRQ/RSRP測定部１０７、オフセット加算部１０８、判定部１０９、レイヤ３メッセージ送信部１１０、無線リンク制御部１１１、メディアアクセス制御部１１２、及び、送信処理部１１３を有する。
【００２９】
受信処理部１０２は、受信アンテナ１０１−１を介して受信した信号に対して受信処理を施す。受信信号には、レイヤ３制御のための制御情報を伝達するレイヤ３メッセージ信号、ユーザデータ信号、又は、各セルから送信される参照信号（CRS又はdiscovery signal）が含まれる。また、レイヤ３メッセージ信号には、メジャーメントイベント判定時に用いるパラメータ（後述する）の設定、及び、RSRQ及びRSRPのうち何れを測定するかを示すRSRQ/RSRP測定対象の設定などが含まれる。受信処理部１０２は、レイヤ３メッセージ信号及びユーザデータ信号を含む信号をメディアアクセス制御部１０３へ出力し、参照信号をRSRQ/RSRP測定部１０７へ出力する。
【００３０】
メディアアクセス制御部１０３は、受信処理部１０２から受け取る信号からのレイヤ３メッセージ信号とユーザデータ信号との分離処理、及び、HARQ（Hybrid Autmatic Repeat request）受信処理を行う。メディアアクセス制御部１０３は、上記処理後のレイヤ３メッセージ信号を無線リンク制御部１０４へ出力する。
【００３１】
無線リンク制御部１０４は、メディアアクセス制御部１０３から受け取るレイヤ３メッセージ信号（レイヤ３メッセージデータ）の組み立て、及び、セル（eNB）に対する受信確認を行う。無線リンク制御部１０４は、組み立てたレイヤ３メッセージ信号をレイヤ３メッセージ受信部１０５へ出力する。
【００３２】
レイヤ３メッセージ受信部１０５は、レイヤ３メッセージ信号を解析して（デコードして）、判定部１０９に対するメジャーメントイベントの設定、及び、RSRQ/RSRP選択部１０６に対するRSRQ/RSRP測定対象の設定を行う。
【００３３】
RSRQ/RSRP選択部１０６は、レイヤ３メッセージ受信部１０５から受け取るRSRQ/RSRP測定対象の設定に従って、RSRQ/RSRP測定部１０７に対して、RSRQを測定するか、RSRPを測定するかを指示する。
【００３４】
RSRQ/RSRP測定部１０７は、RSRQ/RSRP選択部１０６からの指示に従って、RSRQ又はRSRP（以下、単にRSRQ/RSRPと示す）を測定する。なお、RSRQ/RSRP測定部１０７は、接続先セル又は他のセルから送信されるCRS、又は、他のセルから送信されるdiscovery signalを用いて、RSRQ/RSRP（受信品質値）を測定する。具体的には、RSRQ/RSRP測定部１０７は、接続先セルから送信されるCRSを用いてRSRQ/RSRPを測定する。また、RSRQ/RSRP測定部１０７は、他のセルから送信されるCRSを用いたRSRQ/RSRP、又は、他のセルから送信されるdiscovery signalを用いたRSRQ/RSRPを測定する。RSRQ/RSRP測定部１０７は、CRSを用いて測定したRSRQ/RSRP（CRSベースのRSRQ/RSRP）を判定部１０９へ出力し、discovery signalを用いて測定したRSRQ/RSRP（discovery signalベースのRSRQ/RSRP）をオフセット加算部１０８へ出力する。なお、RSRQ/RSRP測定部１０７は、他のセルがCRSを送信しているか、discovery signalを送信しているかを、端末１００側で検出することにより判断してもよく、接続中セルからのレイヤ３メッセージに基づいて判断してもよい。
【００３５】
オフセット加算部１０８は、RSRQ/RSRP測定部１０７から受け取るRSRQ/RSRP（discovery signalベースのRSRQ/RSRP）に対してオフセット値を加算して、オフセット加算後のRSRQ/RSRPを判定部１０９へ出力する。換言すると、オフセット加算部１０８は、discovery signalベースのRSRQ/RSRPを、CRSベースのRSRQ/RSRPに相当する値に変換する。なお、オフセット値は、各セルが使用する周波数帯域によって一意に定まる。端末１００は、周波数帯域とオフセット値との対応関係を示すテーブルを有して、使用するオフセット値Bを特定してもよく、接続中セル（基地局１００）からのレイヤ３メッセージによってオフセット値Bを設定してもよい。
【００３６】
判定部１０９は、RSRQ/RSRP測定部１０７から受け取るCRSベースのRSRQ/RSRP、又は、オフセット加算部１０８から受け取る、discovery signalベースのRSRQ/RSRPにオフセット値が加えられた値を用いて、他のセル（判定対象セル）のRSRQ/RSRPが、メジャーメントイベント（比較イベント又は閾値イベント）を満たすか否かを判定する。
【００３７】
例えば、比較イベント判定を行う場合、判定部１０９は、判定対象セルのRSRQ/RSRPが、CRSを用いて測定された接続中セルのRSRQ/RSRPよりも大きい場合、メジャーメントイベント成立（比較イベントの条件を満たす）と判定する。また、閾値イベント判定を行う場合、判定部１０９は、判定対象セルのRSRQ/RSRPが、閾値よりも大きい場合、メジャーメントイベント成立（閾値イベントの条件を満たす）と判定する。なお、上記比較イベント及び閾値イベントにおいて使用されるRSRQ/RSRPは、RSRQ/RSRP測定部１０７において、RSRQ/RSRPがCRSを用いて測定された場合にはCRSベースのRSRQ/RSRPであり、RSRQ/RSRPがdiscovery signalを用いて測定された場合には、discovery signalベースのRSRQ/RSRPにオフセット値が加えられた値（RSRQ/RSRP）である。
【００３８】
また、比較イベント及び閾値イベントは、LTE-Advancedにおいて定義されている既存のメジャーメントイベントである。すなわち、比較イベントでは接続中セルのCRSベースのRSRQ/RSRPが用いられ、閾値イベントで用いられる閾値にはCRSを基準とした閾値が設定されるので、これらのメジャーメントイベントは、CRSを基準とするハンドオーバ起動の条件であると言える。
【００３９】
判定部１０９は、メジャーメントイベント判定の結果、メジャーメントイベントが成立する場合、判定対象セルに対するメジャーメントイベント成立の報告をレイヤ３メッセージ送信部１１０に対して指示する。
【００４０】
レイヤ３メッセージ送信部１１０は、判定部１０９からメジャーメントイベント成立の報告の指示がある場合、メジャーメントイベント成立、及び、判定対象セルの識別番号（Physical Cell ID）の報告を含むレイヤ３メッセージ信号を生成し、レイヤ３メッセージ信号を無線リンク制御部１１１へ出力する。
【００４１】
無線リンク制御部１１１は、レイヤ３メッセージ送信部１１０から受け取るレイヤ３メッセージ信号（レイヤ３メッセージデータ）の分割、及び、セル（eNB）に対する送信確認を行う。無線リンク制御部１１１は、分割したレイヤ３メッセージ信号をメディアアクセス制御部１１２へ出力する。
【００４２】
メディアアクセス制御部１１２は、ユーザデータ信号（図示せず）と、無線リンク制御部１１１から受け取るレイヤ３メッセージ信号との多重処理、及び、HARQ送信処理を行う。メディアアクセス制御部１１２は、上記処理後の信号を送信処理部１１３へ出力する。
【００４３】
送信処理部１１３は、メディアアクセス制御部１１２から受け取る信号に対して送信処理を施し、送信処理後の信号を、送信アンテナ１０１−２を介して送信する。
【００４４】
［基地局２００の構成］
図４は、本実施の形態に係る基地局２００の構成を示すブロック図である。図４において、基地局２００は、Event設定部２０１、RSRQ/RSRP設定部２０２、レイヤ３メッセージ送信部２０３、無線リンク制御部２０４、メディアアクセス制御部２０５、送信処理部２０６、送信アンテナ２０７−１、受信アンテナ２０７−２、受信処理部２０８、メディアアクセス制御部２０９、無線リンク制御部２１０、レイヤ３メッセージ受信部２１１、及び、ハンドオーバ判定部２１２を有する。
【００４５】
Event設定部２０１は、端末１００においてメジャーメントイベント判定時に用いるパラメータ（後述する）を設定し、設定したパラメータをレイヤ３メッセージ送信部２０３へ出力する。
【００４６】
RSRQ/RSRP設定部２０２は、RSRQ及びRSRPのうち何れを端末１００に測定させるかを設定し、設定結果をレイヤ３メッセージ送信部２０３へ出力する。
【００４７】
レイヤ３メッセージ送信部２０３は、Event設定部２０１及びRSRQ/RSRP設定部２０２から受け取る設定、又は、ハンドオーバ判定部２１２から受け取るハンドオーバメッセージを含むレイヤ３メッセージ信号を生成し、生成したレイヤ３メッセージ信号を無線リンク制御部２０４へ出力する。
【００４８】
無線リンク制御部２０４は、レイヤ３メッセージ送信部２０３から受け取るレイヤ３メッセージ信号（レイヤ３メッセージデータ）の分割、及び、セル（eNB）に対する送信確認を行う。無線リンク制御部２０４は、分割したレイヤ３メッセージ信号をメディアアクセス制御部２０５へ出力する。
【００４９】
メディアアクセス制御部２０５は、ユーザデータ信号（図示せず）と、無線リンク制御部２０４から受け取るレイヤ３メッセージ信号との多重処理、及び、HARQ送信処理を行う。メディアアクセス制御部２０５は、上記処理後の信号を送信処理部２０６へ出力する。
【００５０】
送信処理部２０６は、メディアアクセス制御部２０５から受け取る信号に対して送信処理を施し、送信処理後の信号を、送信アンテナ２０７−１を介して送信する。
【００５１】
受信処理部２０８は、受信アンテナ２０７−２を介して受信した信号に対して受信処理を施し、受信処理後の信号をメディアアクセス制御部２０９へ出力する。受信信号には、端末１００が生成したレイヤ３メッセージ信号又はユーザデータ信号が含まれる。
【００５２】
メディアアクセス制御部２０９は、受信処理部２０８から受け取る信号からのレイヤ３メッセージ信号とユーザデータ信号との分離処理、及び、HARQ受信処理を行う。メディアアクセス制御部２０９は、上記処理後のレイヤ３メッセージ信号を無線リンク制御部２１０へ出力する。
【００５３】
無線リンク制御部２１０は、メディアアクセス制御部２０９から受け取るレイヤ３メッセージ信号（レイヤ３メッセージデータ）の組み立て、及び、セル（eNB）に対する受信確認を行う。無線リンク制御部２１０は、組み立てたレイヤ３メッセージ信号をレイヤ３メッセージ受信部２１１へ出力する。
【００５４】
レイヤ３メッセージ受信部２１１は、レイヤ３メッセージ信号を解析（デコード）し、解析結果をハンドオーバ判定部２１２に出力する。
【００５５】
ハンドオーバ判定部２１２は、レイヤ３メッセージ受信部２１２から受け取る解析結果において、端末１００のメジャーメントイベント成立が報告されている場合、端末１００に対してハンドオーバの起動を指示するハンドオーバメッセージを生成する。ハンドオーバ判定部２１２は、生成したハンドオーバメッセージをレイヤ３メッセージ送信部２０３へ出力する。
【００５６】
［端末１００及び基地局２００の動作］
以上の構成を有する端末１００及び基地局２００のハンドオーバ制御に関する動作について説明する。
【００５７】
以下では、一例として、端末１００におけるメジャーメントイベント判定として、比較イベントが設定される場合について説明する。また、比較イベントの一例として、非特許文献１に記載されたEvent A3（Neighbour becomes offset better than PCell）について説明する。
【００５８】
具体的には、端末１００の判定部１０９が保持するEvent A3の条件式は、次式で表される。
【００５９】
【数１】
2015115037.tif 000003
【００６０】
数式（１）において、Mcrsは判定対象セルのRSRQ/RSRP測定値を示し、Ofnは判定対象セルに対する周波数個別のオフセットを示し、Ocnは判定対象セルに対するセル個別のオフセットを示し、Hysはこのイベントに対するヒステリシスを示す。また、Msは接続中セル（図１に示すPCell）のRSRQ/RSRP測定値を示し、Ofsは接続中セルに対する周波数個別のオフセットを示し、Ocsは接続中セルに対するセル個別のオフセットを示し、Offはこのイベントに対するオフセットを示す。
【００６１】
これらのメジャーメントイベント判定に関するパラメータ（Ofn、Ocn、Hys、Ofs、Ocs、Off）は、基地局２００のEvent設定部２０１において設定され、基地局２００から各端末１００に対して、レイヤ３メッセージによって個別に設定される。
【００６２】
端末１００のRSRQ/RSRP測定部１０７は、接続中セル（On状態のセル）から送信されるCRS、及び、他のセルから送信されるCRS（図１ではOn状態のセル１からのCRS）又はdiscovery signal（図１ではOff状態のセル２からのdiscovery signal）を用いて、各セルに対するRSRQ/RSRPを定期的に測定する。ここで、接続中セルから送信されるCRSを用いて測定されたRSRQ/RSRPは、数式（１）に示すMsに相当する。
【００６３】
端末１００のオフセット加算部１０８は、RSRQ/RSRP測定部１０７において測定されたRSRQ/RSRPのうち、discovery signalを用いて測定された測定値に対してオフセット値を加算する。例えば、オフセット加算部１０８は、次式に従ってオフセット値を加算する。
【００６４】
【数２】
2015115037.tif 000004
【００６５】
数式（２）において、Mdisはdiscovery signalを用いて測定されたRSRQ/RSRPの測定値を示し、Bはオフセット加算部１０８において加算されるオフセット値［ｄＢ］を示す。すなわち、オフセット値Bは、discovery signalベースのRSRQ/RSRP（Mdis）を、CRSを用いて測定されるRSRQ/RSRP相当の値（Mcrs）へ変換するためのパラメータである。
【００６６】
すなわち、判定部１０９は、Off状態のセルをメジャーメントイベント判定対象とする場合には、当該セルから送信されるdiscovery signalを用いて測定されるRSRQ/RSRP（Mdis）にオフセット値（B）を加えた値（数式（２）に示すMcrs）を、数式（１）に示すMcrsとして用いる。一方、判定部１０９は、On状態のセルをメジャーメントイベント判定対象とする場合には、RSRQ/RSRP測定部１０７において判定対象セルから送信されるCRSを用いて測定されるRSRQ/RSRPを、数式（１）に示すMcrsとして用いる。
【００６７】
判定部１０９は、判定対象セルのRSRQ/RSRPが、数式（１）に示す条件式を満たすか否か、つまり、メジャーメントイベント成立か否かを判定する。判定部１０９は、数式（１）に示す条件式を満たす場合、メジャーメントイベントが成立したと判定する。この場合、判定部１０９は、当該イベントの成立、及び、判定対象セルの識別番号（Physical Cell ID）を、レイヤ３メッセージを用いて基地局２００へ報告する。
【００６８】
基地局２００は、レイヤ３メッセージを介して、メジャーメントイベント成立の報告を受け取ると、Physical Cell IDによって特定されるセルへのハンドオーバを起動する。
【００６９】
このようにして、本実施の形態では、端末１００は、他のセルから送信されるdiscovery signalを用いてRSRQ/RSRPを測定し、他のセルのdiscovery signalベースのRSRQ/RSRPに対してオフセット値を加算して、CRSベースのRSRQ/RSRPに相当する受信品質値を算出し、算出した受信品質値が、メジャーメントイベント（CRSを基準とするハンドオーバ起動の条件）を満たすか否かを判定する。
【００７０】
こうすることで、端末１００は、Off状態のセルがハンドオーバ判定対象であっても、当該セルのRSRQ/RSRPと接続中セルのRSRQ/RSRPとに対して、既存の条件式を用いてメジャーメントイベント判定を行うことができる。よって、端末１００は、CRSのRSRQ/RSRPを測定している状態でOff状態のセルを検出した場合であっても、CRSを用いたRSRQ/RSRPの測定が行われたセルに対して、discovery signalを用いてRSRQ/RSRP測定を再度行う必要はない。このため、端末１００でのメジャーメントイベント判定の遅れは生じず、基地局２００では遅延なくハンドオーバを起動することができる。
【００７１】
また、端末１００がOn/Off制御を用いない基地局（discovery signalを送信しない基地局）に接続されている場合に、Off状態のセルから送信されるdiscovery signalを検出したとしても、端末１００は、discovery signalベースのRSRQ/RSRPを変換することにより、既存の条件式（CRSを基準とする条件式）を用いてメジャーメントイベント判定を行うことができる。このため、端末１００がOn/Off制御を用いない基地局（discovery signalを送信しない基地局）に接続されている場合であっても、端末１００及び基地局２００は、discovery signalを用いて測定されたRSRQ/RSRPに対する比較イベント判定に基づいて、ハンドオーバ制御を行うことが可能となる。
【００７２】
また、本実施の形態では、端末１００が既存のメジャーメントイベント判定（ここではEvent A3）に従ってハンドオーバのトリガをかけるので、ハンドオーバのトリガを受け取る基地局２００は、ハンドオーバ起動に関する構成を既存の構成から変更する必要が無い。よって、基地局２００は、端末１００からのメジャーメントイベント成立の報告を受信後、既存の構成においてハンドオーバを起動することができる。
【００７３】
以上のように、本実施の形態によれば、discovery signalが導入された場合でも、遅延させることなく既存のメジャーメントイベントによってハンドオーバ制御を行うことができる。
【００７４】
［実施の形態１のバリエーション］
上記実施の形態では、一例として、比較イベント（Event A3）を適用する場合について説明した。しかし、上記実施の形態において、メジャーメントイベントは、比較イベントに限定されず、閾値イベントが設定されてもよい。
【００７５】
以下では、閾値イベントの一例として、非特許文献１に記載されたEvent A4（Neighbour becomes better than threshold）について説明する。
【００７６】
具体的には、端末１００の判定部１０９が保持するEvent A4の条件式は、次式で表される。
【００７７】
【数３】
2015115037.tif 000005
【００７８】
数式（３）において、Threshは閾値を示す。なお、ThreshにはCRSベースのRSRQ/RSRPを比較対象とした値（つまり、CRSを基準とした値）が設定される。他のパラメータは数式（１）と同様である。
【００７９】
メジャーメントイベント判定の対象セルがOff状態である場合、端末１００のオフセット加算部１０８は、上記実施の形態と同様、数式（２）に従って、discovery signalベースのRSRQ/RSRPに対してオフセット値を加算する。
【００８０】
すなわち、上記実施の形態と同様、判定部１０９は、Off状態のセルをメジャーメントイベント判定対象とする場合には、当該セルから送信されるdiscovery signalを用いて測定されるRSRQ/RSRP（Mdis）にオフセット値（B）を加えた値（数式（２）に示すMcrs）を、数式（３）に示すMcrsとして用いる。一方、判定部１０９は、On状態のセルをメジャーメントイベント判定対象とする場合には、RSRQ/RSRP測定部１０７において判定対象セルから送信されるCRSを用いて測定されるRSRQ/RSRPを、数式（３）に示すMcrsとして用いる。
【００８１】
そして、判定部１０９は、判定対象セルのRSRQ/RSRPが、数式（３）に示す条件式を満たすか否か、つまり、メジャーメントイベント成立か否かを判定する。判定部１０９は、数式（３）に示す条件式を満たす場合、メジャーメントイベントが成立したと判定する。
【００８２】
前述したようにCRSとdiscovery signalとでは送信リソースが異なること等に起因して、discovery signalベースのRSRQ/RSRPそのものに対して、CRSを基準とした既存の閾値を用いた閾値イベント判定を行うことができない。
【００８３】
これに対して、端末１００は、discovery signalを用いて測定されたRSRQ/RSRPに対してオフセット値を加えることにより、CRSを用いて測定されるRSRQ/RSRPに相当する値を算出する。そして、端末１００は、既存の条件式（つまり、CRSを基準とする条件式）を用いる。すなわち、端末１００は、閾値イベントを用いる場合でも、discovery signalを送信するOff状態のセルに対して、既存のメジャーメントイベント判定（既存の閾値）を用いる。
【００８４】
これにより、端末１００は、discovery signalベースのRSRQ/RSRPを用いて、既存の閾値イベント判定を行うことが可能となる。すなわち、基地局２００は、端末１００がdiscovery signalベースのRSRQ/RSRPを用いてメジャーメントイベント判定を行う場合でも、discovery signal用の閾値を新たに設定する必要が無い。
【００８５】
また、端末１００が既存のメジャーメントイベント判定（ここではEvent A4）に従ってハンドオーバのトリガをかけるので、ハンドオーバのトリガを受け取る基地局２００は、ハンドオーバ起動に関する構成を既存の構成から変更する必要が無い。よって、基地局２００は、端末１００からのメジャーメントイベント成立の報告を受信後、既存の構成においてハンドオーバを起動することができる。
【００８６】
以上、実施の形態１のバリエーションについて説明した。
【００８７】
なお、本実施の形態及びバリエーションでは、メジャーメントイベントの一例として、非特許文献１に記載されたEvent A3及びEvent A4について説明したが、メジャーメントイベントはこれらに限定されず、少なくとも判定対象セルのRSRQ/RSRPを用いたメジャーメントイベントであればよい。
【００８８】
（実施の形態２）
本実施の形態では、Dual Connectivityが適用される場合について説明する。
【００８９】
Dual Connectivityでは、スモールセルの導入の際、端末がキャリアアグリゲーションを適用してマクロセルとスモールセルの両方に接続する。例えば、図５は、Dual Connectivityの構成例を示す。Dual Connectivityでは、端末に対するレイヤ３の制御機能を有する複数の基地局（Master eNB：MeNB）が構成するセルグループ（Master Cell Group：MCG）と、MeNB以外の複数の基地局（Secondary eNB：SeNB）が構成するセルグループ（Secondary Cell Group：SCG）とに分類される。すなわち、Dual Connectivity適用時には、端末は、MCGとSCGとに接続し、MCG及びSCGそれぞれに対してキャリアアグリゲーションを適用している状態となる。
【００９０】
また、図５に示すように、MCGをマクロセルによって構成し、SCGをスモールセルによって構成することが検討されている（例えば、非特許文献４を参照）。
【００９１】
また、SCGのセルは、トラフィック収容のために端末に対して追加リソースの割り当てのみを行なうセルと、追加リソース割当に加えて、端末が再送要求又はチャネル品質情報等を送信するレイヤ１／２の制御機能を有するセルとに分類することが検討されている（例えば、非特許文献５を参照）。SCGのレイヤ1/2制御機能を有するセルは、SCG-Primary frequencyCell（SCG-PCell）と呼ばれる。なお、SCG-PCellが有する制御機能は3GPPにおいて現在議論中であり、レイヤ1/2制御機能のみに限定されるものではない。
【００９２】
SCG-PCellは、端末のDual Connectivity状態への移行時に最初に追加されるセルである。例えば、Dual Connectivityでは、制御信号とユーザデータ信号とが分離され、制御信号がMCGによって送信され、ユーザデータ信号がSCGによって送信されるという形態も想定される。この場合、SCG-PCellの接続が不安定であると、ユーザデータ送信が停止してしまう恐れがある。このように、Dual Connectivityの継続のためには、SeNB及びSCG-PCellの接続を維持する必要があり、SCG-PCellはDual Connectivityにおいて重要なセルである。
【００９３】
よって、Dual ConnectivityにおいてSeNB及びSCG-PCellの接続を維持するためには、SCG-PCellと、他のセルとに対してハンドオーバのトリガをかける必要がある。つまり、Dual Connectivityにおいては、端末は、SCG-PCellに対してもメジャーメントイベント判定を行う必要がある。
【００９４】
しかしながら、既存のシステムでは、SCG-PCellに対するハンドオーバにおいて比較イベントを用いたメジャーメントイベント判定の定義が一部存在していない。具体的には、既存のキャリアアグリゲーションの定義では、SCG-PCellはSCellに分類される。また、既存のメジャーメントイベントの機能では、PCell（マクロ）と、PCellの周波数と異なる周波数のセルとに対する比較イベント、又は、SCell（スモールセル）と、SCellと同一周波数のセルとに対する比較イベントを設定することができるのに対して、SCell（スモールセル）と、SCellと異なる周波数のセルとに対する比較イベントを設定することができない仕様となっている。例えば、図５において、SCG-PCellと他のセルとが同じ周波数を使用している場合には、端末は比較イベントの成否を判定できる。一方、SCG-PCellと他のセルとが、それぞれ異なる周波数を使用している場合には、端末は比較イベントの成否を判定できない。
【００９５】
そこで、本実施の形態では、上記課題に対して、SCG-PCellと他のセルとがそれぞれ異なる周波数を使用している場合でも、端末が比較イベント判定を行うことができるハンドオーバ判定方法について説明する。
【００９６】
図６は、本実施の形態に係る端末３００の構成を示すブロック図である。図６において、実施の形態１（図３）と比較すると、オフセット加算部１０８、判定部１０９がオフセット加算部１０８ａ、判定部１０９ａにそれぞれ置き換わり、測定信号選択部３０１が新に追加されている。
【００９７】
端末３００において、レイヤ３メッセージ受信部１０５が受信するレイヤ３メッセージには、実施の形態１と同様の情報に加え、RSRQ/RSRPの測定に用いる信号（CRS又はdiscovery signal）の設定、及び、オフセット加算部１０８ａにおいて使用されるオフセット値（数式（２）に示すB）の設定が含まれる。
【００９８】
選択信号選択部３０１は、レイヤ３メッセージ受信部１０５から受け取る測定信号の設定に従って、受信処理部１０２に対して、RSRQ/RSRPの測定に用いる信号（CRS又はdiscovery signal）を指示する。こうすることで、受信処理部１０２では、測定信号の設定に従った信号が抽出され、RSRQ/RSRP測定部１０７へ出力される。
【００９９】
オフセット加算部１０８ａは、RSRQ/RSRP測定部１０７から受け取るdiscovery signalベースのRSRQ/RSRPに対して、レイヤ３メッセージ受信部１０５から受け取る設定に対応するオフセット値を加算して、オフセット加算後のRSRQ/RSRPを判定部１０９ａへ出力する。例えば、オフセット加算部１０８ａは、実施の形態１と同様の数式（２）に従って、オフセット値をRSRQ/RSRPに加算する。
【０１００】
判定部１０９ａは、端末３００の接続先セルであるSCG-PCellのRSRQ/RSRPと、メジャーメントイベント判定対象のセルのRSRQ/RSRPとを比較して、メジャーメントイベントが成立しているか否かを判定する。例えば、判定部１０９ａは、次式に従って、メジャーメントイベント判定を行う。
【０１０１】
【数４】
2015115037.tif 000006
【０１０２】
数式（４）において、Mscgは、SCG-PCellから送信されるCRSを用いて測定されたRSRQ/RSRPを示す。その他のパラメータ（Ofn、Ocn、Hys、Ofs、Ocs、Off）は、数式（１）と同様である。ただし、数式（４）に示す比較イベントの条件式におけるパラメータは、数式（１）に示す接続中セルであるPCellに対するパラメータとは異なり、SCG-PCellに応じた値を採ることが想定される。
【０１０３】
つまり、判定部１０９ａは、他のセルのRSRQ/RSRPが、CRSを用いて測定されたSCG-PCell（判定対象の特定のセル）のRSRQ/RSRPよりも大きい場合、比較イベントの条件を満たすと判定する。
【０１０４】
また、端末３００において、判定部１０９ａは、Off状態のセルをメジャーメントイベント判定対象とする場合には、当該セルから送信されるdiscovery signalを用いて測定されるRSRQ/RSRP（Mdis）にオフセット値（B）を加えた値（数式（２）に示すMcrs）を、数式（４）に示すMcrsとして用いる。一方、判定部１０９は、On状態のセルをメジャーメントイベント判定対象とする場合には、RSRQ/RSRP測定部１０７において判定対象セルから送信されるCRSを用いて測定されるRSRQ/RSRPを、数式（４）に示すMcrsとして用いる。
【０１０５】
図７は、本実施の形態に係る端末４００の構成を示すブロック図である。図７において、実施の形態１（図４）と比較すると、Event設定部２０１がEvent設定部２０１ａに置き換わり、測定信号設定部４０１及びオフセット値設定部４０２が新たに追加されている。
【０１０６】
端末４００において、Event設定部２０１ａは、端末３００においてメジャーメントイベント判定に用いる条件式のパラメータ（数式（４）に示すOfn、Ocn、Hys、Ofs、Ocs、Off等）を設定する。
【０１０７】
測定信号設定部４０１は、端末３００において判定対象セルのRSRQ/RSRPの測定に用いる信号（CRS又はdiscovery signal）を設定する。
【０１０８】
オフセット値設定部４０２は、端末３００においてdiscovery signalを用いて測定されたRSRQ/RSRPに対して加算されるオフセット値（数式（２）に示すB）を設定する。
【０１０９】
以上のように、本実施の形態では、既存のメジャーメントイベントに加え数、式（４）に示す比較イベントの条件式を有するメジャーメントイベントが定義される。これにより、端末３００は、既存のメジャーメントイベントでは実施不可能であった、互いに周波数が異なるSCG-PCellと他のセルとの間でも、比較イベント判定を行うことができる。よって、本実施の形態によれば、SCG-PCellに対して使用周波数の異なるセルへのハンドオーバの起動が可能となる。よって、Dual Connectivityの継続を安定して維持することができる。
【０１１０】
更に、本実施の形態では、実施の形態１と同様、判定対象セルのRSRQ/RSRPがdiscovery signalを用いて測定される場合には、メジャーメントイベントにおいて、当該discovery signalベースのRSRQ/RSRPに対してオフセット値が加算された値（CRSベースのRSRQ/RSRPに相当する値）が使用される。これにより、本実施の形態によれば、実施の形態１と同様、discovery signalが導入される場合でも、遅延させることなく、CRSを基準としたメジャーメントイベントを適用することができる。
【０１１１】
なお、本実施の形態では、判定対象セルのRSRQ/RSRPの測定に用いる信号の設定、及び、オフセット値Bの設定が基地局４００から端末３００へ設定される場合について説明した。しかし、本実施の形態において、端末３００がこれらの設定を行ってもよい。この場合、端末３００では、測定信号選択部３０１が不要となり、基地局４００では、測定信号設定部４０１及びオフセット値設定部４０２が不要となる。例えば、オフセット値Bについては、端末３００は、周波数帯域とオフセット値との対応関係を示すテーブルを有し、使用するオフセット値Bを周波数帯域に応じて一意に特定してもよい。また、端末３００は、判定対象セルが送信している信号を検出することにより、判定対象セルのRSRQ/RSRPの測定に用いる信号を特定してもよい。
【０１１２】
以上、本開示の各実施の形態について説明した。
【０１１３】
なお、上記各実施の形態では、本開示をハードウェアで構成する場合を例にとって説明したが、本開示はハードウェアとの連携においてソフトウェアでも実現することも可能である。
【０１１４】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサーを利用してもよい。
【０１１６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１７】
以上、本開示の端末は、接続先セルから他のセルへのハンドオーバ起動を判定する端末であって、他のセルから送信されるセル固有参照信号を用いた第１の受信品質値、又は、他のセルから送信されるセル検出用参照信号を用いた第２の受信品質値を測定する測定部と、第２の受信品質値に対してオフセット値を加算して、第３の受信品質値を算出する加算部と、他のセルの第１の受信品質値又は第３の受信品質値が、前記セル固有参照信号を基準とするハンドオーバ起動の条件を満たすか否かを判定する判定部と、を具備する構成を採る。
【０１１８】
本開示の端末において、上記判定部は、第１の受信品質値又は第３の受信品質値が、セル固有参照信号を用いて測定された接続先セルの受信品質値よりも大きい場合、上記条件を満たすと判定する。
【０１１９】
本開示の端末において、上記判定部は、第１の受信品質値又は第３の受信品質値が、セル固有参照信号を基準とする閾値よりも大きい場合、上記条件を満たすと判定する。
【０１２０】
本開示の端末において、端末が複数のマクロセルから構成される第１グループと、が複数のスモールセルから構成される第２グループとに接続するDual Connectivityにおいて、接続先セルは、第２グループのうち、制御機能を有する特定のセルであって、上記判定部は、第１の受信品質値又は第３の受信品質値が、セル固有参照信号を用いて測定された特定のセルの受信品質値よりも大きい場合、上記条件を満たすと判定する。
【０１２１】
本開示のハンドオーバ判定方法は、接続先セルから他のセルへのハンドオーバ起動を判定するハンドオーバ判定方法であって、他のセルから送信されるセル固有参照信号を用いた第１の受信品質値、又は、他のセルから送信されるセル検出用参照信号を用いた第２の受信品質値を測定し、第２の受信品質値に対してオフセット値を加算して、第３の受信品質値を算出し、他のセルの第１の受信品質値又は第３の受信品質値が、セル固有参照信号を基準とするハンドオーバ起動の条件を満たすか否かを判定する。
【産業上の利用可能性】
【０１２２】
本開示は、移動体通信システムに有用である。
【符号の説明】
【０１２３】
１００，３００  端末
２００，４００  基地局
１０１−１，２０７−２  受信アンテナ
１０１−２，２０７−１  送信アンテナ
１０２，２０８  受信処理部
１０３，１１２，２０５，２０９  メディアアクセス制御部
１０４，１１１，２０４，２１０  無線リンク制御部
１０５，２１１  レイヤ３メッセージ受信部
１０６  RSRQ/RSRP選択部
１０７  RSRQ/RSRP測定部
１０８  オフセット加算部
１０９  判定部
１１０，２０３  レイヤ３メッセージ送信部
１１３，２０６  送信処理部
２０１  Event設定部
２０２  RSRQ/RSRP設定部
２１２  ハンドオーバ判定部
【図１】
2015115037.tif 000007
【図２】
2015115037.tif 000008
【図３】
2015115037.tif 000009
【図４】
2015115037.tif 000010
【図５】
2015115037.tif 000011
【図６】
2015115037.tif 000012
【図７】
2015115037.tif 000013
【国際調査報告】
2015115037.tif 000014
2015115037.tif 000015
2015115037.tif 000016
2015115037.tif 000017